(57)【特許請求の範囲】
【請求項１】
基材表面に、衝撃吸収用の突隆部が、所定間隔をあけて複数設けられたプロテクター本体と、
前記プロテクター本体の突隆部の表面に、衝撃吸収空間が形成されるように隙間をあけて取り付けられて、衝突したボールに巻き付いてその回転を止める回転規制シートと、
を備えた捕手用胸部プロテクター。
【請求項２】
回転規制シートの両側が開放するように取り付けられた請求項１記載の捕手用胸部プロテクター。
【請求項３】
基材表面に、衝撃吸収用の突隆部が、所定間隔をあけて上下方向に複数設けられたプロテクター本体と、
前記プロテクター本体の突隆部の表面に、衝撃吸収空間が形成されるように隙間をあけて被い、両側を開放した状態とし、左右方向に延びる突隆部と突隆部の間の溝に沿って、取り付けられて、衝突したボールに巻き付いてその回転を止める回転規制シートと、
を備えた捕手用胸部プロテクター。
【発明の詳細な説明】
【技術分野】
【０００１】
本発明は、野球やソフトボールに用いられる捕手用胸部プロテクターに関する。
【背景技術】
【０００２】
野球やソフトボールの試合において、投手が投げたワンバウンドのボールを、捕手が自分の胸部プロテクターに、ボールを当ててボールを止める場合があるが、ボールが勢いよく跳ね返り、進塁を許してしまうことがある。
そのため、胸部プロテクターに衝突しても、ボールが弾まない材質のものが用いられている。
【０００３】
例えば、チェスト部と肩部に、緩衝材としてＥＶＡ  ＶＮ６００を使用し、リバウンド率を４％以上１５％以下としたプロテクター（例えば、特許文献１参照。）が提案されている。
【０００４】
【特許文献１】特開２００６−２８０４２６号公報
【発明の開示】
【発明が解決しようとする課題】
【０００５】
しかし、特許文献１のプロテクターでは、ボールが無回転で、真っ直ぐに当たった場合には、ボールの跳ね返りをある程度おさえることはできるが、実際の場面では、投手が投げたボールがワンバウンドし、斜め方向から飛んできて、ボールが衝突するので、緩衝材の衝撃吸収効果が半減してしまい、また、投手が投げるボールは、激しい回転がかかっており、緩衝材の衝撃吸収効果だけでは、ボールの回転を止めて、動きを止めることはできないといった問題点があった。
また、特許文献１のプロテクターでは、緩衝材として、特殊な材質のものを使用しているため、販売価格が高価にならざるを得ないといった問題点もあった。
そこで、本願発明は、投手が投げたワンバウンドのボールの動きを効果的に止めることができ、しかも安価な捕手用胸部プロテクターを提供しようとするものである。
【課題を解決するための手段】
【０００６】
本発明に係る捕手用胸部プロテクターは、基材表面に、衝撃吸収用の突隆部が、所定間隔をあけて複数設けられたプロテクター本体と、前記プロテクター本体の突隆部の表面に、衝撃吸収空間が形成されるように隙間をあけて取り付けられて、衝突したボールに巻き付いてその回転を止める回転規制シートと、を備えたものである。
【０００７】
また、回転規制シートの両側が開放するように取り付けられたものである方が好ましい。
【０００８】
更に、基材表面に、衝撃吸収用の突隆部が、所定間隔をあけて上下方向に複数設けられたプロテクター本体と、前記プロテクター本体の突隆部の表面に、衝撃吸収空間が形成されるように隙間をあけて被い、両側を開放した状態とし、左右方向に延びる突隆部と突隆部の間の溝に沿って、取り付けられて、衝突したボールに巻き付いてその回転を止める回転規制シートと、を備えたものである。
【発明の効果】
【０００９】
本発明に係る請求項１の捕手用胸部プロテクターによれば、投手が投げたボールがワンバウンドして、捕手のプロテクター表面に当たると、背面に衝撃吸収空間を有する回転規制シートが、ボールの回転を止めるとともに、衝撃吸収空間がクッションとなりながら、突隆部に衝突して衝撃が吸収され、ボールの動きを止めることができる。
このように、回転規制シートによる巻き付き効果と、衝撃吸収空間の衝撃吸収効果と、突隆部の衝撃吸収効果との相乗効果によって、ボールがバウンドするのを効果的に防止することができる。
また、プロテクター本体表面に回転規制シートを取り付けた簡単な構造であるため、販売価格を安価におさえることができる。
【００１０】
請求項２の捕手用胸部プロテクターによれば、両側が開放し、衝撃吸収空間が形成されているので、回転規制シートに柔軟性が与えられることとなり、この柔軟性のある回転規制シートが巻き付いて、ボールの回転を止めることができる。
【００１１】
請求項３の捕手用胸部プロテクターによれば、ワンバウンドしたボールが、回転規制シートの凹部内に入り込み、背面に衝撃吸収空間を有する回転規制シートが、上下から巻き付いて、ボールの回転を止めるとともに、衝撃吸収空間がクッションとなりながら、突隆部に衝突して衝撃が吸収され、ボールの動きを止めることができる。
【発明を実施するための最良の形態】
【００１２】
以下、本発明の実施形態について図面を参照しながら説明する。
図１〜図３は、代表的実施形態の捕手用胸部プロテクターに関するものであり、図１は斜視図、図２は拡大中央端面図、図３は分解斜視図である。
【００１３】
捕手用胸部プロテクターＰ（以下、プロテクターＰという。）は、図１〜図３に示すように、プロテクター本体１と、回転規制シート２とで構成されている。
プロテクター本体１は、胸部、腹部、肩部にかけて被うことができる形状の基材３表面に、衝撃吸収用の突隆部４が、所定間隔をあけて小部屋状に複数設けられたものである。
図例のプロテクター本体１では、図３に示すように、突隆部４が、中央部に、所定間隔ごとに上下方向に設けられており、細長の突隆部４が左右方向に延びて、胸部、腹部が形成されている。更に、この胸部、腹部の両側にも、突隆部が所定間隔をあけて上下方向に設けられ、肩部、側部が形成されている。
これらの突隆部４は、ポリウレタン等の発泡合成樹脂が内部に充填されたものである。突隆部４は、衝突したボールＢの衝撃を吸収するものであり、さまざまな緩衝材を採用することができる。
【００１４】
回転規制シート２は、図１〜図３の如く、衝突したボールに巻き付いてその回転を止めるものであり、前記プロテクター本体１の突隆部４…表面に、衝撃吸収空間５が形成されるように隙間をあけて取り付けられている。
図例のプロテクターＰでは、縦長の略瓢箪形状の回転規制シート２が用いられ、プロテクター本体１の中央部の突隆部４表面にあてがい、間に隙間を有するように、両側面を開放した状態で、上辺、下辺、突隆部４と突隆部４の間の溝部６に沿って、プロテクター本体１に縫い付けられている。図中２ａは、回転規制シート２の開口部である。
このように取り付けられた回転規制シート２表面には、図１に示すように、溝部６に沿って凹部７が形成されるとともに、それぞれの突隆部４表面と回転規制シート２の隙間には、左右方向全面に渡って衝撃吸収空間５が形成されている。
回転止めシート２には、合成樹脂製、布製、又はこれらを組み合わせたものを用いることが可能であり、回転規制シート２の取り付けは、接着剤、熱溶着で行うこともできる。
尚、上述したプロテクターＰでは、プロテクター本体１の中央部の上下方向に、回転規制シート２を被せて取り付けているが、これらの一部或いはプロテクター本体１全面に被せて取り付けることもできる。
更に、図例のプロテクターＰでは、回転規制シート２に柔軟性をもたせるため、両側を開放して回転規制シート２を取り付けているが、衝撃吸収空間５が形成されるように、回転規制シート２の両側又は一方だけを閉じて取り付けることも可能である。即ち、回転規制シート２の少なくとも途中部がプロテクター本体１表面に対して隙間を有するように取り付けられていればよい。
また、回転止めシート２は、一枚のシートものを用いているが、それぞれの突隆部４を外被できる大きさのシートを用いて、それぞれの突隆部４に取り付けたものであってもよい。
【００１５】
図４（ａ）は、上述したプロテクターＰの回転規制シート２を示すものであり、両側面を開放し、上辺、下辺、突隆部４と突隆部４の間の溝部６に沿って、横方向に縫い付けたものであるが、図４（ｂ）に示すように、衝撃吸収空間５を有するように、両側を開放した状態で、回転規制シート２の上辺と下辺のみを縫い付けたものであってもよい。なお、図中１０は縫い目である。
また、図４（ｃ）の回転規制シート２は、図４（ｂ）の回転規制シート２に加えて、突隆部４の表面に沿って、上下方向にも縫い付けたものである。
更に、図４（ｄ）の回転規制シート２は、図４（ａ）の回転規制シート２に加えて、突隆部４の表面に沿って、上下方向にも、縫い付けたものである。
【００１６】
プロテクター本体１背面には、肩掛けベルト８、背面ベルト、腰ベルト９が設けられている。
【００１７】
上述したプロテクターＰによると、図２に示すように、ワンバウンドしたボールＢが、斜め方向から衝突して、回転規制シート２の凹部７内に入り込むと、背面に衝撃吸収空間５を有する回転規制シート２が、上下から巻き付いて、ボールＢの回転を止めるとともに、衝撃吸収空間５がクッションとなりながら、ボールＢが突隆部４に衝突すると、衝撃が吸収され、ボールＢの動きを止めることとなる。
【００１８】
また、上述したプロテクターＰでは、両側が開放し、衝撃吸収空間５が形成されているので、回転規制シート２には柔軟性があり、この状態で、ボールＢが回転規制シート２の凹部７内に入り込みことによって、上下から巻き付いて、ボールＢの回転を止めることができる。
このようにプロテクターＰによれば、回転規制シート２による巻き付き効果と、衝撃吸収空間５の衝撃吸収効果と、突隆部４の衝撃吸収効果との相乗効果によって、ボールがバウンドするのを効果的に防止することができる。
【００１９】
上述したプロテクターＰでは、プロテクター本体１表面に回転規制シート２を縫い付けて取り付けた簡単な構造であるため、販売価格を安価におさえることができる。
【実施例】
【００２０】
次に、上記プロテクターＰの実施品（実施例１）と従来のプロテクター（従来品）について、ボールを衝突させ時の反発する距離に関する比較試験を行った結果を説明する。
実施例１は、従来品に回転規制シート２を縫い付けたプロテクターＰである。具体的には、図３に示すように、従来の大人用のプロテクター表面に、略瓢箪型の回転止めシート２を縫い付けたものであり、プロテクター本体１表面の中央に、上下方向に突隆部４が設けられており、その突隆部４の大きさは、約４〜９ｃｍ（縦方向）×約１４〜２１ｃｍ（横方向）×約２〜３ｃｍ（高さ）であり、この突隆部４と回転規制シート２との隙間は、最大約３ｃｍ程度である。
【００２１】
比較実験は、バッティングセンター内で、ゴム板をあてがった状態で、実施例１と従来品を吊り下げ、この実施例１と従来品に、直球のボールを、ダイレクトに当てる方法とワンバウンドで当てる方法を試み、それぞれ１５回ずつボールを衝突させて、その反発の距離を計測した。
その他に、マシンからプロテクターまでの距離は１７ｍ、球速は１１０ｋｍ／ｈに設定されており、ボールは、ウレタン製のものを用いている。
これらの結果をまとめたものが、表１である。
【００２２】
【表１】
0004888438.tif 000002
【００２３】
表１により、従来品と実施例１を比較すると、実施例１の方が、従来品に比べて、反発する距離をおさえることができることが明らかとなった。
これらの反発距離の平均値を比較すると、ダイレクトに当てた場合、実施例１の反発距離は、従来品の反発距離に比べて７７％におさえることができる。
ワンバウンドで当てた場合は、実施例１の反発距離は、従来品の反発距離に比べて、約４７％に、反発の距離を押さえることができる。回転規制シート２による効果が顕著に表れている。
【図面の簡単な説明】
【００２４】
【図１】捕手用胸部プロテクターの斜視図
【図２】同じく、拡大中央端面図
【図３】同じく、分解斜視図
【図４】（ａ）回転止めシートの概略図、（ｂ）他の回転止めシートの概略図、（ｃ）他の回転止めシートの概略図、（ｄ）他の回転止めシートの概略図
【００２５】
Ｐ    捕手用胸部プロテクター
Ｂ    ボール
１    プロテクター本体
２    回転規制シート
２ａ  開口部
３    基材
４    突隆部
５    衝撃吸収空間
６    溝部
７    凹部
８    肩掛けベルト
９    腰ベルト
１０  縫い目
【図１】
0004888438.tif 000003
【図２】
0004888438.tif 000004
【図３】
0004888438.tif 000005
【図４】
0004888438.tif 000006